(57)【要約】【課題】空気調和装置の室温センサの取付位置の不良を検出する。【解決手段】空調管理装置１０は、記憶部１２と、制御部１１と、ディスプレイ１４と、スピーカ１５とを備え、空気調和装置２の室温センサ６０，７０の取付位置を診断する。記憶部１２は、空気調和装置２の設定温度の変更履歴データ１２ａを記憶する。制御部１１は、変更履歴データ１２ａに基づいて、設定温度が所定の頻度以上で変更されているか否かを判断する。ディスプレイ１４およびスピーカ１５は、制御部１１により設定温度が所定の頻度以上で変更されていると判断された場合に、室温センサ６０，７０の取付位置が不良である旨を報知する。【選択図】図２
2008014600.tif 000002
【特許請求の範囲】
【請求項１】
空気調和装置（２）の室温センサ（６０，７０）の取付位置を診断する診断装置（１０）であって、
前記空気調和装置（２）の設定温度の変更履歴データ（１２ａ）を記憶する記憶部（１２）と、
前記変更履歴データ（１２ａ）に基づいて、前記設定温度が所定の頻度以上で変更されているか否かを判断する判断部（１１）と、
前記判断部（１１）により前記設定温度が前記所定の頻度以上で変更されていると判断された場合に、前記室温センサ（６０，７０）の取付位置が不良である旨を報知する報知部（１４，１５）と、
を備える、診断装置（１０）。
【請求項２】
前記判断部（１１）は、前記設定温度が第１時間間隔内に所定の回数以上変更されたことがある場合に、前記設定温度が前記所定の頻度以上で変更されていると判断する、
請求項１に記載の診断装置（１０）。
【請求項３】
前記判断部（１１）は、前記判断に際して、前記設定温度が前記第１時間間隔よりも短い第２時間間隔内に複数回変更された場合には、その複数回の変更を１回の変更としてカウントする、
請求項２に記載の診断装置（１０）。
【請求項４】
前記判断部（１１）は、前記判断に際して、前記設定温度の変更幅が所定の温度幅よりも小さい場合には、その変更をカウントしない、
請求項２又は３に記載の診断装置（１０）。
【請求項５】
前記判断部（１１）は、過去の所定の日数分の前記変更履歴データ（１２ａ）に基づいて、同じ時間帯に前記設定温度が前記所定の頻度以上で変更されているか否かを判断し、
前記報知部（１４，１５）は、前記判断部（１１）により同じ時間帯に前記設定温度が前記所定の頻度以上で変更されていると判断された場合に、前記室温センサ（６０，７０）の取付位置が不良である旨を報知する、
請求項１に記載の診断装置（１０）。
【請求項６】
空気調和装置（２）の室温センサ（６０，７０）の取付位置を診断する診断装置（１０）であって、
前記空気調和装置（２）の設定温度の変更履歴データ（１２ａ）および前記室温センサ（６０，７０）により示される室温値の変遷履歴データ（１２ｂ）を記憶する記憶部（１２）と、
前記変更履歴データ（１２ａ）および前記変遷履歴データ（１２ｂ）に基づいて、前記設定温度がその上限値付近又は下限値付近に設定されており、かつ、前記室温センサ（６０，７０）により示される室温値が前記設定温度付近の値を示している状態が所定の期間以上継続されたことがあるか否かを判断する判断部（１１）と、
前記判断部（１１）により前記状態が前記所定の期間以上継続されたことがあると判断された場合に、前記室温センサ（６０，７０）の取付位置が不良である旨を報知する報知部（１４，１５）と、
を備える、診断装置（１０）。
【請求項７】
前記判断部（１１）は、前記設定温度がその上限値付近又は下限値付近に設定されており、前記室温センサ（６０，７０）により示される室温値が前記設定温度付近の値を示しており、かつ、消費電力が少ない状態が前記所定の期間以上継続されたことがあるか否かを判断する、
請求項６に記載の診断装置（１０）。
【請求項８】
空気調和装置（２）の室温センサ（６０，７０）の取付位置を診断する診断機能を有する空調管理装置（１０）であって、
前記空気調和装置（２）の設定温度の変更履歴データ（１２ａ）を記憶する記憶部（１２）と、
前記変更履歴データ（１２ａ）に基づいて、前記設定温度が所定の頻度以上で変更されているか否かを判断する判断部（１１）と、
前記判断部（１１）により前記設定温度が前記所定の頻度以上で変更されていると判断された場合に、前記室温センサ（６０，７０）の取付位置が不良である旨を報知する報知部（１４，１５）と、
を備える、空調管理装置（１０）。
【請求項９】
空気調和装置（２）の室温センサ（６０，７０）の取付位置を診断する診断機能を有する空調管理装置（１０）であって、
前記空気調和装置（２）の設定温度の変更履歴データ（１２ａ）および前記室温センサ（６０，７０）により示される室温値の変遷履歴データ（１２ｂ）を記憶する記憶部（１２）と、
前記変更履歴データ（１２ａ）および変遷履歴データ（１２ｂ）に基づいて、前記設定温度がその上限値付近又は下限値付近に設定されており、かつ、前記室温センサ（６０，７０）により示される室温値が前記設定温度付近の値を示している状態が所定の期間以上継続されたことがあるか否かを判断する判断部（１１）と、
前記判断部（１１）により前記状態が前記所定の期間以上継続されたことがあると判断された場合に、前記室温センサ（６０，７０）の取付位置が不良である旨を報知する報知部（１４，１５）と、
を備える、空調管理装置（１０）。
【発明の詳細な説明】
【技術分野】
【０００１】
本発明は、空気調和装置の室温センサの取付位置を診断する診断装置およびそのような診断機能を有する空調管理装置に関する。
【背景技術】
【０００２】
従来より、空気調和装置の室内ユニットやリモコンなどには、空調対象空間の温度を検出する室温センサが内蔵されていることが多い。そして、このような空気調和装置では、この室温センサにより検出された室温値を基準として、空気調和装置の運転が制御されるようになっている。
【０００３】
ところで、このような室温センサは、その取付位置によっては、空調対象空間の温度を正確に示さないことがある。例えば、特許文献１では、リモコン本体又はリモコンが取り付けられている壁面が保持する熱の影響により、リモコンに内蔵されている室温センサが空調対象空間の実際の温度よりも高い温度を示すことがあるという問題が指摘されている。そこで、特許文献１では、室温センサの出力値に室内の温度変化に応じた適当な補正を加えることにより、こうした問題に対処することとしている。
【特許文献１】特開２００１−２０８３９０号公報
【発明の開示】
【発明が解決しようとする課題】
【０００４】
しかしながら、室温センサが実際の空調対象空間の温度と異なる温度を示すことがあるのは、特許文献１において指摘されている状況に限られない。そのため、特許文献１に提案されている室温センサの出力値の補正の方法により、どのような態様で設置されている室温センサの出力値に対しても常に精度のよい補正が可能になるとは限らない。したがって、室温センサが空調対象空間の温度を正確に計測することができない不適切な位置に取り付けられている場合には、利用者がまずそのことを知り、室温センサを別の位置に付け替えるなどの適切な処置を講ずることが望ましい。
【０００５】
本発明の課題は、空気調和装置の室温センサの取付位置の不良を検出することにある。
【課題を解決するための手段】
【０００６】
第１発明に係る診断装置は、記憶部と、判断部と、報知部とを備え、空気調和装置の室温センサの取付位置を診断する。記憶部は、空気調和装置の設定温度の変更履歴データを記憶する。判断部は、変更履歴データに基づいて、設定温度が所定の頻度以上で変更されているか否かを判断する。報知部は、判断部により設定温度が所定の頻度以上で変更されていると判断された場合に、室温センサの取付位置が不良である旨を報知する。
【０００７】
この診断装置では、空気調和装置の設定温度の変更履歴データが記憶部に記憶されているため、こうした設定温度の変更履歴データに基づいて設定温度が所定の頻度以上で変更されているか否かを判断部が判断することが可能となっている。そして、設定温度が所定の頻度以上で変更されているような場合には、利用者が設定した設定温度のとおりに空調対象空間が空気調和されないために利用者が何度も設定温度を設定し直している状況が窺われる。なお、こうした状況は、室温センサが日光に曝されたり隙間風に曝されたり空気調和装置からの冷却された空気又は暖められた空気に曝されたりするような位置に取り付けられているために、室温センサが実際の空調対象空間の温度よりも高い又は低い温度を示すようになっている場合に生じやすい。したがって、設定温度が所定の頻度以上で変更されていると判断部が判断した場合には、室温センサが不適切な位置に取り付けられていることが予測されるため、報知部がその旨を報知する。なお、室温センサの取付位置が不良である又は不良であることが疑われる旨の報知は、空気調和装置の設置されている建物の管理者に向けて行われてもよいし、空気調和装置が遠隔のサービスセンターに接続されている場合にはサービスセンターの職員に向けて行われてもよいし、その他の者に向けて行われてもよい。このように、この診断装置が導入された環境においては、空気調和装置の室温センサの取付位置の不良が検出可能となる。
【０００８】
第２発明に係る診断装置は、第１発明に係る診断装置であって、判断部は、設定温度が第１時間間隔内に所定の回数以上変更されたことがある場合に、設定温度が所定の頻度以上で変更されていると判断する。
【０００９】
この診断装置では、設定温度が所定の時間間隔内に所定の回数以上（例えば、１時間に２回以上）変更されたことがあると判断部が判断した場合には、室温センサの取付位置が不良である又は不良であることが疑われる旨を報知部が報知する。すなわち、この診断装置では、日常的にではなくある特定の状況においてのみ室温センサが空調対象空間の温度を正確に示さなくなるような場合にも、室温センサの取付位置の不良を検出することができる。
【００１０】
第３発明に係る診断装置は、第２発明に係る診断装置であって、判断部は、設定温度が所定の頻度以上で変更されているか否かの判断に際して、設定温度が第２時間間隔内に複数回変更された場合には、その複数回の変更を１回の変更としてカウントする。第２時間間隔は、第１時間間隔よりも短い。
【００１１】
この診断装置では、判断部が設定温度の変更回数をカウントするに当たり、設定温度がある短い時間間隔（例えば、１分間）内に複数回変更された場合には、その複数回の変更が１回の変更とみなされる。したがって、この診断装置では、利用者の押し間違いなどによる設定温度の変更を無視することができる。
【００１２】
第４発明に係る診断装置は、第２発明又は第３発明に係る診断装置であって、判断部は、設定温度が所定の頻度以上で変更されているか否かの判断に際して、設定温度の変更幅が所定の温度幅よりも小さい場合には、その変更をカウントしない。
【００１３】
この診断装置では、判断部が設定温度の変更回数をカウントするに当たり、設定温度の変更幅がある温度幅（例えば、１℃）よりも小さい場合には、その変更は無視される。したがって、この診断装置では、利用者の好みに起因する設定温度の変更を無視することができる。
【００１４】
第５発明に係る診断装置は、第１発明に係る診断装置であって、判断部は、過去の所定の日数分の変更履歴データに基づいて、同じ時間帯に設定温度が所定の頻度以上で変更されているか否かを判断する。報知部は、判断部により同じ時間帯に設定温度が所定の頻度以上で変更されていると判断された場合に、室温センサの取付位置が不良である旨を報知する。
【００１５】
この診断装置では、判断部が、過去の所定の日数分の変更履歴データに基づいて、設定温度が所定の頻度以上で変更される時間帯又は変更される傾向にある時間帯が存在しているか否かを判断する。一方、報知部は、そのような時間帯が存在していると判断部が判断した場合には、室温センサの取付位置が不良である又は不良であることが疑われる旨を報知する。これにより、この診断装置では、１日のうちで室温センサが日光に曝される時間帯が限られている場合など、ある特定の時間帯においてのみ室温センサが空調対象空間の温度を正確に示さなくなるような場合にも、室温センサの取付位置の不良を検出することができる。
【００１６】
第６発明に係る診断装置は、記憶部と、判断部と、報知部とを備え、空気調和装置の室温センサの取付位置を診断する。記憶部は、空気調和装置の設定温度の変更履歴データおよび室温センサにより示される室温値の変遷履歴データを記憶する。判断部は、変更履歴データおよび変遷履歴データに基づいて、設定温度がその上限値付近又は下限値付近に設定されており、かつ、室温センサにより示される室温値が設定温度付近の値を示している状態が所定の期間以上継続されたことがあるか否かを判断する。報知部は、判断部により上記状態が所定の期間以上継続されたことがあると判断された場合に、室温センサの取付位置が不良である旨を報知する。
【００１７】
この診断装置では、空気調和装置の設定温度の変更履歴データおよび室温センサにより示される室温値の変遷履歴データが記憶部に記憶されている。そのため、この診断装置では、設定温度がその上限値付近又は下限値付近に設定されており、かつ、室温センサにより示される室温値が設定温度付近の値を示している状態が所定の期間以上継続されたことがあるか否かを、判断部が設定温度の変更履歴データおよび室温値の変遷履歴データに基づいて判断することが可能となっている。そして、上記状態が所定の期間以上継続されるということは、室温センサが冷房運転時に実際よりも低い温度を示す又は暖房運転時に実際よりも高い温度を示すような状況に置かれていると予測される。なお、こうした状況は、所謂「ショートサーキット現象」が生じるなどにより、室温センサが空気調和装置からの冷却された空気又は加熱された空気に曝されるような状況に置かれている場合に特に生じやすい。したがって、上記状態が所定の期間以上継続されたことがあると判断される場合には、室温センサが不適切な位置に取り付けられていることが予測されるため、その旨が報知される。なお、室温センサの取付位置が不良である又は不良であることが疑われる旨の報知は、空気調和装置の設置されている建物の管理者に向けて行われてもよいし、空気調和装置が遠隔のサービスセンターに接続されている場合にはサービスセンターの職員に向けて行われてもよいし、その他の者に向けて行われてもよい。このように、この診断装置が導入された環境においては、空気調和装置の室温センサの取付位置の不良が検出可能となる。
【００１８】
第７発明に係る診断装置は、第６発明に係る診断装置であって、判断部は、設定温度がその上限値付近又は下限値付近に設定されており、室温センサにより示される室温値が設定温度付近の値を示しており、かつ、消費電力が少ない状態が所定の期間以上継続されたことがあるか否かを判断する。
【００１９】
一般的に、設定温度がその上限値付近又は下限値付近に設定されており、かつ、室温センサにより示される室温値が設定温度付近の値を示している場合であっても、消費電力が多い場合には、室温センサが空気調和装置からの冷却された空気又は加熱された空気に曝されるような状況は生じておらず、正常状態であることが考えられる。したがって、この診断装置では、設定温度がその上限値付近又は下限値付近に設定されており、室温センサにより示される室温値が設定温度付近の値を示しており、かつ、消費電力が少ない状態が所定の期間以上継続されたことがあるか否かが判断部により判断され、こうした状態が所定の期間以上継続されたことがあると判断された場合には、室温センサが不適切な位置に取り付けられていることが予測される旨が報知される。したがって、この診断装置では、室温センサの取付位置の不良がより高精度に検出される。
【００２０】
第８発明に係る空調管理装置は、記憶部と、判断部と、報知部とを備え、空気調和装置の室温センサの取付位置を診断する診断機能を有する。記憶部は、空気調和装置の設定温度の変更履歴データを記憶する。判断部は、変更履歴データに基づいて、設定温度が所定の頻度以上で変更されているか否かを判断する。報知部は、判断部により設定温度が所定の頻度以上で変更されていると判断された場合に、室温センサの取付位置が不良である旨を報知する。
【００２１】
この空調管理装置では、空気調和装置の設定温度の変更履歴データが記憶部に記憶されているため、こうした設定温度の変更履歴データに基づいて設定温度が所定の頻度以上で変更されているか否かを判断部が判断することが可能となっている。そして、設定温度が所定の頻度以上で変更されているような場合には、利用者が設定した設定温度のとおりに空調対象空間が空気調和されないために利用者が何度も設定温度を設定し直している状況が窺われる。なお、こうした状況は、室温センサが日光に曝されたり隙間風に曝されたり空気調和装置からの冷却された空気又は暖められた空気に曝されたりするような位置に取り付けられているために、室温センサが実際の空調対象空間の温度よりも高い又は低い温度を示すようになっている場合に生じやすい。したがって、設定温度が所定の頻度以上で変更されていると判断部が判断した場合には、室温センサが不適切な位置に取り付けられていることが予測されるため、報知部がその旨を報知する。なお、室温センサの取付位置が不良である又は不良であることが疑われる旨の報知は、空気調和装置の設置されている建物の管理者に向けて行われてもよいし、空気調和装置が遠隔のサービスセンターに接続されている場合にはサービスセンターの職員に向けて行われてもよいし、その他の者に向けて行われてもよい。このように、この空調管理装置により空気調和装置が管理される環境においては、空気調和装置の室温センサの取付位置の不良が検出可能となる。
【００２２】
第９発明に係る空調管理装置は、記憶部と、判断部と、報知部とを備え、空気調和装置の室温センサの取付位置を診断する診断機能を有する。記憶部は、空気調和装置の設定温度の変更履歴データおよび室温センサにより示される室温値の変遷履歴データを記憶する。判断部は、変更履歴データおよび変遷履歴データに基づいて、設定温度がその上限値付近又は下限値付近に設定されており、かつ、室温センサにより示される室温値が設定温度付近の値を示している状態が所定の期間以上継続されたことがあるか否かを判断する。報知部は、判断部により上記状態が所定の期間以上継続されたことがあると判断された場合に、室温センサの取付位置が不良である旨を報知する。
【００２３】
この空調管理装置では、空気調和装置の設定温度の変更履歴データおよび室温センサにより示される室温値の変遷履歴データが記憶部に記憶されている。そのため、この空調管理装置では、設定温度がその上限値付近又は下限値付近に設定されており、かつ、室温センサにより示される室温値が設定温度付近の値を示している状態が所定の期間以上継続されたことがあるか否かを、判断部が設定温度の変更履歴データおよび室温値の変遷履歴データに基づいて判断することが可能となっている。そして、上記状態が所定の期間以上継続されるということは、室温センサが冷房運転時に実際よりも低い温度を示す又は暖房運転時に実際よりも高い温度を示すような状況に置かれていると予測される。なお、こうした状況は、所謂「ショートサーキット現象」が生じるなどにより、室温センサが空気調和装置からの冷却された空気又は加熱された空気に曝されるような状況に置かれている場合に特に生じやすい。したがって、上記状態が所定の期間以上継続されたことがあると判断される場合には、室温センサが不適切な位置に取り付けられていることが予測されるため、その旨が報知される。なお、室温センサの取付位置が不良である又は不良であることが疑われる旨の報知は、空気調和装置の設置されている建物の管理者に向けて行われてもよいし、空気調和装置が遠隔のサービスセンターに接続されている場合にはサービスセンターの職員に向けて行われてもよいし、その他の者に向けて行われてもよい。このように、この空調管理装置により空気調和装置が管理される環境においては、空気調和装置の室温センサの取付位置の不良が検出可能となる。
【発明の効果】
【００２４】
第１発明に係る診断装置が導入された環境においては、空気調和装置の室温センサの取付位置の不良が検出可能となる。
【００２５】
第２発明に係る診断装置では、日常的にではなくある特定の状況においてのみ室温センサが空調対象空間の温度を正確に示さなくなるような場合にも、室温センサの取付位置の不良を検出することができる。
【００２６】
第３発明に係る診断装置では、利用者の押し間違いなどによる設定温度の変更を無視することができる。
【００２７】
第４発明に係る診断装置では、利用者の好みに起因する設定温度の変更を無視することができる。
【００２８】
第５発明に係る診断装置では、１日のうちで室温センサが日光に曝される時間帯が限られている場合など、ある特定の時間帯においてのみ室温センサが空調対象空間の温度を正確に示さなくなるような場合にも、室温センサの取付位置の不良を検出することができる。
【００２９】
第６発明に係る診断装置が導入された環境においては、空気調和装置の室温センサの取付位置の不良が検出可能となる。
【００３０】
第７発明に係る診断装置では、室温センサの取付位置の不良がより高精度に検出される。
【００３１】
第８発明に係る空調管理装置により空気調和装置が管理される環境においては、空気調和装置の室温センサの取付位置の不良が検出可能となる。
【００３２】
第９発明に係る空調管理装置により空気調和装置が管理される環境においては、空気調和装置の室温センサの取付位置の不良が検出可能となる。
【発明を実施するための最良の形態】
【００３３】
以下、図１〜図６を参照して、本発明の一実施形態に係る空調管理装置１０（診断装置）について説明する。
【００３４】
＜空調管理装置の設置環境＞
図１に示されるように、空調管理装置１０は、オフィスビル１に設置されており、同じくオフィスビル１に設置される空気調和装置２を制御している。
【００３５】
（１）オフィスビル
オフィスビル１には、オフィスビル１の管理者が在室している管理室Ｒ１と、従業員の働く複数の部屋Ｒ２，Ｒ３，・・・とがある。そして、このオフィスビル１には、これらの部屋Ｒ１，Ｒ２，Ｒ３，・・・内を空気調和する空気調和装置２が設置されている。また、空調管理装置１０は、管理室Ｒ１に設置されている。
【００３６】
（２）空気調和装置
空気調和装置２は、主として、室内ユニット３０と、室内ユニット３０のリモコン４０と、室内ユニット３０に冷媒連絡配管（図示せず）を介して接続される室外ユニット５０とから構成されている。
【００３７】
ａ）室内ユニット
室内ユニット３０は、複数台の室内ユニット３１，３２ａ，３２ｂ，・・・，３３ａ，３３ｂ，・・・，・・・の総称であり、室内ユニット３１は部屋Ｒ１に、室内ユニット３２ａ，３２ｂ，・・・は部屋Ｒ２に、室内ユニット３３ａ，３３ｂ，・・・は部屋Ｒ３に・・・（以下同様）・・・天井に埋め込まれたり壁に掛けられたりなどの態様で設置されている。室内ユニット３０は、専用ネットワーク３を介して室外ユニット５０との間で制御信号の授受を行いながら、冷媒と室内空気との間で熱交換を行うことにより、部屋Ｒ１，Ｒ２，Ｒ３，・・・内を空気調和する。
【００３８】
そして、室内ユニット３１，３２ａ，３２ｂ，・・・，３３ａ，３３ｂ，・・・，・・・の制御部（図示せず）には、それぞれサーミスタから成る室温センサ６１，６２ａ，６２ｂ，・・・，６３ａ，６３ｂ，・・・，・・・（これらを総称して室温センサ６０とする）が接続されている。これらの室温センサ６１，６２ａ，６２ｂ，・・・，６３ａ，６３ｂ，・・・，・・・は、それぞれ部屋Ｒ１，Ｒ２，Ｒ３，・・・の温度を計測することを目的としてオフィスビル１内の適当な位置に取り付けられており、室内ユニット３１，３２ａ，３２ｂ，・・・，３３ａ，３３ｂ，・・・，・・・がオンの状態にある場合においては、所定の間隔で周囲の温度値を検出し、逐次、室内ユニット３０の制御部に送信する。続いて、室内ユニット３０の制御部は、室温センサ６０において検出された温度値を、専用ネットワーク３を介して室外ユニット５０の制御部（図示せず）に送信する。そして、この室温センサ６１，６２ａ，６２ｂ，・・・，６３ａ，６３ｂ，・・・，・・・において検出された温度値は、空気調和装置２の制御上、それぞれ室温センサ６１，６２ａ，６２ｂ，・・・，６３ａ，６３ｂ，・・・，・・・の取付位置付近の温度値として取り扱われることになる。
【００３９】
ｂ）リモコン
リモコン４０は、複数台のリモコン４１，４２ａ，４２ｂ，・・・，４３ａ，４３ｂ，・・・，・・・の総称であり、これらのリモコン４１，４２ａ，４２ｂ，・・・，４３ａ，４３ｂ，・・・，・・・は、それぞれ室内ユニット３１，３２ａ，３２ｂ，・・・，３３ａ，３３ｂ，・・・，・・・に対する各種の操作設定を利用者が行うことを可能にしている。なお、リモコン４０は、部屋Ｒ１，Ｒ２，Ｒ３，・・・の壁面に備え付けられている。
【００４０】
そして、室内ユニット３０のオンオフや室内ユニット３０の運転モード、設定温度、風量および風向の変更などの運転指令を利用者がリモコン４０に入力すると、リモコン４０は利用者から受け取った運転指令を適切な信号に変換して通信線４を介して室内ユニット３０の制御部（図示せず）に送信する。続いて、室内ユニット３０の制御部は、これらの運転指令を、専用ネットワーク３を介して室外ユニット５０の制御部（図示せず）に送信する。なお、通信線４は、リモコン４０と室内ユニット３０の制御部とを結ぶ通信線である。
【００４１】
また、リモコン４１，４２ａ，４２ｂ，・・・，４３ａ，４３ｂ，・・・，・・・には、それぞれサーミスタから成る室温センサ７１，７２ａ，７２ｂ，・・・，７３ａ，７３ｂ，・・・，・・・（これらを総称して室温センサ７０とする）が内蔵されている。これらの室温センサ７１，７２ａ，７２ｂ，・・・，７３ａ，７３ｂ，・・・，・・・は、それぞれ室内ユニット３１，３２ａ，３２ｂ，・・・，３３ａ，３３ｂ，・・・，・・・がオンの状態にある場合においては、所定の間隔で周囲の温度値を検出し、逐次、検出された温度値を通信線４を介して室内ユニット３１，３２ａ，３２ｂ，・・・，３３ａ，３３ｂ，・・・，・・・の制御部に送信する。続いて、室内ユニット３０の制御部は、室温センサ７０において検出された温度値を、専用ネットワーク３を介して室外ユニット５０の制御部に送信する。そして、この室温センサ７１，７２ａ，７２ｂ，・・・，７３ａ，７３ｂ，・・・，・・・において検出された温度値は、空気調和装置２の制御上、室温センサ７１，７２ａ，７２ｂ，・・・，７３ａ，７３ｂ，・・・，・・・の取付位置付近の温度値として取り扱われることになる。
【００４２】
ｃ）室外ユニット
室外ユニット５０は、オフィスビル１の屋上に設置されており、専用ネットワーク３を介して室内ユニット１０との間で制御信号の授受を行いながら、冷媒と室外空気との間で熱交換を行う。室外ユニット５０は、室内ユニット３０から室温センサ６０，７０において検出された温度値を受け取ると、逐次、専用ネットワーク３を介して空調管理装置１０に送信する。また、室外ユニット５０は、室内ユニット３０からリモコン４０を介して利用者により入力された運転指令を受け取ると、逐次、専用ネットワーク３を介して空調管理装置１０に送信する。
【００４３】
＜空調管理装置の構成＞
空調管理装置１０は、専用ネットワーク３を介して空気調和装置２を監視・制御している。そして、空調管理装置１０は、空気調和装置２の監視・制御の一環として、空気調和装置２の室温センサ６０，７０が適切な位置に取り付けられているか否かを診断する診断機能を有している。なお、ここでいう「適切な位置」とは、室温センサ６０，７０が日光や隙間風に曝されることも室内ユニット３０から吹き出された空気に直接曝されることもないような位置のことであり、室温センサ６０，７０により示される温度値が室内ユニット３０の空調対象空間の温度を適切に代表することとなる位置をいう。
【００４４】
図２に示されるように、空調管理装置１０は、主として、制御部１１、記憶部１２、通信ポート１３、ディスプレイ１４およびスピーカ１５から構成されている。記憶部１２には、変更履歴データベース１２ａおよび変遷履歴データベース１２ｂが記憶されている。通信ポート１３は、専用ネットワーク３を介して室外ユニット５０の制御部（図示せず）に接続される。
【００４５】
変更履歴データベース１２ａは、利用者による設定温度の変更操作の履歴を格納するためのデータベースである。そして、利用者がリモコン４０を介して入力した室内ユニット３０の設定温度を変更する旨の運転指令が空調管理装置１０に送信されてくる度に、変更履歴データベース１２ａにはレコードが新規に追加されることになる。すなわち、変更履歴データベース１２ａに格納される１のレコードは、利用者がリモコン４０を介して行った１の設定温度の変更操作に対応する。
【００４６】
図３に示すように、変更履歴データベース１２ａは、室内ユニットＩＤフィールド、変更日時フィールドおよび設定温度フィールドを有している。室内ユニットＩＤフィールドには、設定温度の変更操作の対象となった室内ユニット３０を識別する室内ユニットＩＤが格納され、変更日時フィールドには、設定温度の変更操作が行われた日時が格納され、設定温度フィールドには、設定温度の変更操作によって新たに設定された設定温度が格納される。
【００４７】
一方、変遷履歴データベース１２ｂは、室温センサ６０，７０により検出された温度値の履歴を格納するためのデータベースである。そして、室温センサ６０，７０において検出された温度値が空調管理装置１０に送信されてくる度に、この変遷履歴データベース１２ｂにはレコードが新規に追加されることになる。
【００４８】
図４に示すように、変遷履歴データベース１２ｂは、室内ユニットＩＤフィールド、検出日時フィールドおよび検出温度フィールドを有している。検出温度フィールドには、室温センサ６０，７０により検出された温度値が格納される。そして、室内ユニットＩＤフィールドには、検出温度フィールドに格納される温度値を検出した室温センサ６０，７０が接続されている室内ユニット３０を識別する室内ユニットＩＤが格納される。また、検出日時フィールドには、室内ユニットＩＤフィールドに格納される室内ユニットＩＤにより識別される室内ユニット３０が室温センサ６０，７０から室温値を受け取った際のタイムスタンプが格納される。
【００４９】
＜空調管理装置における診断処理＞
以下、図５を参照して、空調管理装置１０において実行される室温センサ６０，７０の取付位置の診断処理について説明する。図５に示す診断処理は、１日１回、深夜２時に空調管理装置１０において実行される処理であり、この診断処理においては、各室内ユニット３１，３２ａ，３２ｂ，・・・，３３ａ，３３ｂ，・・・，・・・について以下のステップＳ１〜Ｓ６が繰り返されることになる。
【００５０】
ステップＳ１では、制御部１１は、記憶部１２に記憶されている変更履歴データベース１２ａを参照して、変更日時フィールドに格納されている変更日時が前日の深夜２時から当日の深夜２時までの期間に含まれており、かつ、室内ユニットＩＤフィールドに現在選択されている室内ユニット３０を識別する室内ユニットＩＤが格納されているレコードを抽出する。
【００５１】
次に、ステップＳ２では、制御部１１は、ステップＳ１で抽出したレコードに基づいて、前日の深夜２時から当日の深夜２時までの期間に当該室内ユニット３０の設定温度が１時間に２回以上変更されたことがあるか否かを判断する。なお、このステップＳ２において設定温度の変更操作の回数がカウントされるに際しては、設定温度が１分間に２回以上変更されている場合には、それらの複数回の変更操作のうち最後の変更操作のみが有効な変更操作とされ、それ以前の変更操作は無効な変更操作とされる。すなわち、１分以内に行われた複数回の設定温度の変更操作は、１回の変更操作としてカウントされる。また、ある１時間の設定温度の変更幅が１℃以内に収まっている場合には、その変更操作は利用者の好みに起因するものと判断され、この１時間に行われた変更操作はカウントされない。すなわち、例えば、ある１時間に設定温度が２６℃から２５℃に下げられ、さらに２６℃に上げられた場合には、その１時間の変更幅は１℃であり、変更操作の回数は０回とされる。また、ある１時間に設定温度が２６℃から２５℃に下げられ、さらに２４℃に下げられた場合には、その１時間の変更幅は２℃であり、変更操作の回数は２回とされる。そして、制御部１１により設定温度が１時間に２回以上変更されたことがあると判断された場合には、診断処理はステップＳ５に進み、ないと判断された場合には、診断処理はステップＳ３に進む。
【００５２】
ステップＳ３では、制御部１１は、記憶部１２に記憶されている変遷履歴データベース１２ｂを参照して、検出日時フィールドに格納されている検出日時が前日の深夜２時から当日の深夜２時までの期間に含まれており、かつ、室内ユニットＩＤフィールドに当該室内ユニット３０を識別する室内ユニットＩＤが格納されているレコードを抽出する。
【００５３】
次に、ステップＳ４では、制御部１１は、ステップＳ１およびステップＳ３で抽出したレコードに基づいて、前日の深夜２時から当日の深夜２時までの期間に所定の状態が３時間以上継続されたことがあるか否かを判断する。そして、ここでいう「所定の状態」とは、当該室内ユニット３０の設定温度がその上限値付近又は下限値付近に設定され、当該室内ユニット３０に対応する室温センサ６０，７０において検出された温度値が設定温度付近にあり、かつ、消費電力が定格電力の８０％未満である状態をいう。また、ここでいう「上限値付近」とは、上限値マイナス２℃から上限値までの温度範囲のことを意味し、「下限値付近」とは、下限値から下限値プラス２℃までの温度範囲のことを意味し、「設定温度付近」とは、設定温度プラスマイナス１℃の温度範囲を意味するものとする。そして、制御部１１により所定の状態が３時間以上継続されたことがあると判断された場合には、診断処理はステップＳ６に進み、ないと判断された場合には、診断処理は診断未の他の室内ユニット３０についてステップＳ１を繰り返すか又は終了する。
【００５４】
ステップＳ５では、制御部１１は、当該室内ユニット３０に対応する室温センサ６０，７０が不適切な位置に取り付けられていることを示す警告メッセージをディスプレイ１４上に表示させる。このとき、ディスプレイ１４上には、この警告メッセージを目にした管理者が室温センサ６０，７０の取付状況等を確認しやすいよう、当該室内ユニット３０を特定する情報（例えば、当該室内ユニット３０がどの部屋Ｒ１，Ｒ２，Ｒ３，・・・に設置されているかを示す情報など）が出力される。また、制御部１１は、室温センサ６０，７０が不適切な位置に取り付けられていると判断される理由を管理者又は利用者が詳細に検討することができるよう、管理者からの求めに応じて当該室内ユニット３０に関連する情報をディスプレイ１４上に表示させることができる。なお、当該室内ユニット３０に関連する情報には、前日の深夜２時から当日の深夜２時までの過去１日分の、当該室内ユニット３０の設定温度の変更操作の履歴が含まれる。
【００５５】
さらに、ステップＳ５においては、制御部１１は、スピーカ１５を介して警告音を鳴らし、管理室Ｒ１に在室している管理者の注意を喚起する。
【００５６】
ステップＳ６では、制御部１１は、ステップＳ５の場合と同様に、当該室内ユニット３０に対応する室温センサ６０，７０が不適切な位置に取り付けられていることを示す警告メッセージをディスプレイ１４上に表示させる。また、このとき、ディスプレイ１４上には、ステップＳ５の場合と同様に、この警告メッセージを目にした管理者が室温センサ６０，７０の取付状況等を確認しやすいよう、当該室内ユニット３０を特定する情報（例えば、当該室内ユニット３０がどの部屋Ｒ１，Ｒ２，Ｒ３，・・・に設置されているかを示す情報など）が出力される。また、制御部１１は、室温センサ６０，７０が不適切な位置に取り付けられていると判断される理由を管理者又は利用者が詳細に検討することができるよう、管理者からの求めに応じて当該室内ユニット３０に関連する情報をディスプレイ１４上に表示させることができる。なお、当該室内ユニット３０に関連する情報には、前日の深夜２時から当日の深夜２時までの過去１日分の、当該室内ユニット３０の設定温度の変更操作の履歴と室温センサ６０，７０において検出された温度値の履歴とが含まれる。
【００５７】
さらに、ステップＳ６においては、制御部１１は、ステップＳ５の場合と同様に、スピーカ１５を介して警告音を鳴らし、管理室Ｒ１に在室している管理者の注意を喚起する。
【００５８】
そして、全ての室内ユニット３１，３２ａ，３２ｂ，・・・，３３ａ，３３ｂ，・・・，・・・について以上のステップＳ１〜Ｓ６が繰り返された後、診断処理が終了する。
【００５９】
＜特徴＞
（１）
空調管理装置１０では、記憶部１２に記憶されている室内ユニット３０の設定温度の変更操作の履歴に基づいて、室内ユニット３０の設定温度が１時間に２回以上変更されたことがあるか否かが判断される。そして、変更されたことがある場合には、ディスプレイ１４およびスピーカ１５を介して警告メッセージおよび警告音が出力される。したがって、利用者により室内ユニット３０の設定温度が頻繁に変更されるような場合には、室温センサ６０，７０が不適切な位置に取り付けられている又はそのことが疑われる旨が管理者に伝えられることになり、管理者又は利用者は室温センサ６０，７０の位置不良に迅速に対応することができる。
【００６０】
（２）
また、空調管理装置１０では、室内ユニット３０の設定温度の変更操作の履歴に加え、記憶部１２に記憶されている室温センサ６０，７０により検出された温度値の履歴に基づいて、室内ユニット３０の設定温度がその上限値付近又は下限値付近に設定され、室温センサ６０，７０において検出された温度値が設定温度付近にあり、かつ、消費電力が定格電力の８０％未満である状態が３時間以上継続されたことがあるか否かが判断される。そして、継続されたことがある場合には、ディスプレイ１４およびスピーカ１５を介して警告メッセージおよび警告音が出力される。したがって、室内ユニット３０の設定温度および室温センサ６０，７０における検出温度がその上限値付近又は下限値付近に張り付いており、かつ、消費電力が少ないような場合には、室温センサ６０，７０が不適切な位置に取り付けられている又はそのことが疑われる旨が管理者に伝えられることになり、管理者又は利用者は室温センサ６０，７０の位置不良に迅速に対応することができる。すなわち、この空調管理装置１０は、室温センサ６０，７０が室内ユニット３０において冷却された空気又は加熱された空気に曝されるなどにより部屋Ｒ１，Ｒ２，Ｒ３，・・・の室温を適切に示すことができなくなっている不適切な状況を検出することができる。
【００６１】
＜変形例＞
（１）
上記空調管理装置１０において実行される診断処理が、図６に示されるようになっていてもよい。
【００６２】
図６に示す診断処理は、図５に示す診断処理と同様に、１日１回、深夜２時に空調管理装置１０において実行される処理であり、図６に示す診断処理においては、各室内ユニット３１，３２ａ，３２ｂ，・・・，３３ａ，３３ｂ，・・・，・・・についてステップＳ３，Ｓ４，Ｓ６，Ｓ２１，Ｓ２２，Ｓ２５が繰り返されることになる。
【００６３】
ステップＳ２１では、制御部１１は、記憶部１２に記憶されている変更履歴データベース１２ａを参照して、変更日時フィールドに格納されている変更日時が直近の過去１週間の期間に含まれており、かつ、室内ユニットＩＤフィールドに現在選択されている室内ユニット３０を識別する室内ユニットＩＤが格納されているレコードを抽出する。
【００６４】
次に、ステップＳ２２では、制御部１１は、ステップＳ２１で抽出したレコードに基づいて、当該室内ユニット３０の設定温度が同じ時間帯に１時間に２回以上の割合で変更されたことが過去１週間のうち５日以上あるか否かを判断する。なお、このステップＳ２２において設定温度の変更操作の回数がカウントされるに際しては、上記ステップＳ２の場合と同様に、設定温度が１分間に２回以上変更されている場合には、それらの複数回の変更操作のうち最後の変更操作のみが有効な変更操作とされ、それ以前の変更操作は無効な変更操作とされる。すなわち、１分以内に行われた複数回の設定温度の変更操作は、１回の変更操作としてカウントされる。また、ある１時間の設定温度の変更幅が１℃以内に収まっている場合には、その変更操作は利用者の好みに起因するものと判断され、この１時間に行われた変更操作はカウントされない。すなわち、例えば、ある１時間に設定温度が２６℃から２５℃に下げられ、さらに２６℃に上げられた場合には、その１時間の変更幅は１℃であり、変更操作の回数は０回とされる。また、ある１時間に設定温度が２６℃から２５℃に下げられ、さらに２４℃に下げられた場合には、その１時間の変更幅は２℃であり、変更操作の回数は２回とされる。そして、制御部１１により５日以上あると判断された場合には、診断処理はステップＳ２５に進み、ないと判断された場合には、診断処理はステップＳ３に進む。
【００６５】
ステップＳ２５では、制御部１１は、上記ステップＳ５の場合と同様に、当該室内ユニット３０に対応する室温センサ６０，７０が不適切な位置に取り付けられていることを示す警告メッセージをディスプレイ１４上に表示させる。さらに、このとき、ディスプレイ１４上には、上記ステップＳ５の場合と同様に、この警告メッセージを目にした管理者が室温センサ６０，７０の取付状況等を確認しやすいよう、当該室内ユニット３０を特定する情報（例えば、当該室内ユニット３０がどの部屋Ｒ１，Ｒ２，Ｒ３，・・・に設置されているかを示す情報など）が出力される。また、制御部１１は、上記ステップＳ５の場合と同様に、室温センサ６０，７０が不適切な位置に取り付けられていると判断される理由を管理者又は利用者が詳細に検討することができるよう、管理者からの求めに応じて当該室内ユニット３０に関連する情報をディスプレイ１４上に表示させることができる。なお、当該室内ユニット３０に関連する情報には、過去１週間分の、当該室内ユニット３０の設定温度の変更操作の履歴が含まれる。また、このとき、ディスプレイ１４上には、ステップＳ２２において１時間に２回以上の割合で設定温度が変更されたと判断された時間帯が表示される。さらに、ステップＳ２５においては、制御部１１は、上記ステップＳ５の場合と同様に、スピーカ１５を介して警告音を鳴らし、管理室Ｒ１に在室している管理者の注意を喚起する。
【００６６】
そして、全ての室内ユニット３１，３２ａ，３２ｂ，・・・，３３ａ，３３ｂ，・・・，・・・について以上のステップＳ３，Ｓ４，Ｓ６，Ｓ２１，Ｓ２２，Ｓ２５が繰り返された後、診断処理が終了する。
【００６７】
このように、この変形例では、毎日同じ時間帯に設定温度が頻繁に変更される場合又はそうした傾向にある場合、すなわち、毎日周期的に設定温度が頻繁に変更されるようになる場合又はそうした傾向にある場合に、室温センサ６０，７０の取付位置の不良が報知されるようになっている。したがって、この変形例に係る空調管理装置１０は、毎日又はほぼ毎日、ある時間帯になると室温センサ６０，７０に対する日光の照射量が増減したり、或いは、室温センサ６０，７０が隙間風に吹き付けられたりするような状況を精度よく検出することができる。
【００６８】
（２）
上記実施形態のステップＳ２において、設定温度が１時間に２回以上変更されたことがある日が過去の数日（例えば、１週間）のうちに所定の日数以上（例えば、５日以上）ある場合に初めてステップＳ５に進むようになっていてもよい。また、上記実施形態のステップＳ４において、所定の状態が３時間以上継続されたことがある日が過去の数日（例えば、１週間）のうちに所定の日数以上（例えば、５日以上）ある場合に初めてステップＳ６に進むようになっていてもよい。すなわち、第１実施形態の場合には異常が毎日報知される可能性があるが、本変形例の場合には異常が蓄積されて初めて報知されるため、室温センサ６０，７０の取付位置が不良でないにも関わらず誤って報知される可能性が低減され、管理者の負担が減少する。
【００６９】
（３）
上記実施形態のステップＳ２（変形例（２）の場合を含む。）における「１時間に２回以上」「１分間」「１時間」「１℃」、ステップＳ４における「３時間」「８０％」など、上記実施形態の説明において示された具体的な数値は、他の任意の数値に変更し得る。ステップＳ２１における「１週間」、ステップＳ２２における「５日」「１時間に２回以上」「１分間」「１時間」「１℃」など、上記変形例（１）の説明において示された具体的な数値についても同様である。また、これらの数値は、予め設定されていてもよいし、管理者などが自由に設定変更できるようになっていてもよい。
【００７０】
（４）
上記実施形態のステップＳ２（変形例（２）の場合を含む。）においては、制御部１１により、室内ユニット３０の設定温度が所定の頻度（上記実施形態の説明においては「１時間に２回以上」となっているが、これに限定されない）で変更されたことがＮ回以上（Ｎは２以上の整数）あるか否かが判断されるようになっていてもよい。上記変形例（１）のステップＳ２２の場合も同様である。
【００７１】
（５）
上記診断処理は、１日１回、深夜２時ではなく、所定の時間間隔で所定の時刻に実行されるようになっていてもよい。上記変形例（１），（２）の場合も同様である。
【００７２】
（６）
上記診断処理は、空気調和装置２の様々な監視・制御を行う空調管理装置１０においてではなく、専用の診断装置において実行されるようになっていてもよい。また、こうした専用の診断装置は、既にオフィスビル１に設置されている空気調和装置２又は空調管理装置１０などの既存の設備に接続させることにより、後づけで取り付けることができるようになっていてもよい。上記変形例（１），（２）の場合も同様である。
【００７３】
（７）
上記空調管理装置１０は、インターネット回線などの公衆回線を介してオフィスビル１の遠隔に存在するサービスセンターに接続されていてもよい。この場合において、上記診断処理は、空調管理装置１０においてではなく、サービスセンターに設置されているサーバなどにおいて実行されてもよい。上記変形例（１），（２）の場合も同様である。
【産業上の利用可能性】
【００７４】
本発明は、空気調和装置の室温センサの取付位置の不良を検出することができるという効果を有し、空気調和装置の室温センサの取付位置を診断する診断装置およびそのような診断機能を有する空調管理装置として有用である。
【図面の簡単な説明】
【００７５】
【図１】本発明の一実施形態に係る空調管理装置があるオフィスビルに設置された様子を示す図。
【図２】本発明の一実施形態に係る空調管理装置の構成図。
【図３】本発明の一実施形態に係る変更履歴データベースのデータ構造を示す図。
【図４】本発明の一実施形態に係る変遷履歴データベースのデータ構造を示す図。
【図５】本発明の一実施形態に係る診断処理の詳細を示すフローチャート。
【図６】本発明の変形例に係る診断処理の詳細を示すフローチャート。
【符号の説明】
【００７６】
２  空気調和装置
１０  空調管理装置（診断装置）
１１  制御部（判断部）
１２  記憶部
１２ａ  変更履歴データベース
１２ｂ  変遷履歴データベース
１４  ディスプレイ（報知部）
１５  スピーカ（報知部）
３０  室内ユニット
４０  リモコン
５０  室外ユニット
６０，７０  室温センサ
【図１】
2008014600.tif 000003
【図２】
2008014600.tif 000004
【図３】
2008014600.tif 000005
【図４】
2008014600.tif 000006
【図５】
2008014600.tif 000007
【図６】
2008014600.tif 000008